【事件の表示】
　平成５年特許願第７７６３７号「カラオケ制御装置」拒絶査定不服審判事件〔平成６年９月２２日出願公開、特開平６−２６８７７４〕について、次のとおり審決する。
【結　論】
　本件審判の請求は、成り立たない。
【理　由】
１．手続の経緯・本願発明
　本願は、平成５年３月１１日の出願であって、特許請求の範囲の請求項１に係る発明（以下、「本願発明」という。）は、平成１６年１２月６日付け手続補正書により補正された明細書及び図面の記載からみて、その特許請求の範囲の請求項１に記載された以下のとおりのものと認める。
　
　「演奏曲のオーディオ信号を記憶し選曲コマンドによって指定された演奏曲のオーディオ信号並びに歌詞及び背景の表示のための画像信号を再生し出力する音響・映像再生部、前記演奏曲のオーディオ信号とマイクからの歌唱信号とを混合出力するミキシングアンプ、このミキシングアンプからの信号を電気音響変換するスピーカ、及び前記画像信号を入力して前記歌詞及び背景を表示するモニタを備えた自己完結型の楽音再生型カラオケ装置の、前記音響・映像再生部と前記ミキシングアンプ、及び前記音響・映像再生部と前記モニタの間の接続を解除した後に、前記音響・映像再生部、ミキシングアンプ及びモニタの間に挿入されるカラオケ制御装置であって、
　演奏曲のイベント情報並びに演奏曲に対応した歌詞及び背景の表示のための情報を記憶し、指定された演奏曲のイベント情報に従って音源で楽音を合成し出力すると共に、前記指定された演奏曲に対応する前記歌詞及び背景の表示のための情報に基づいて画像信号を再生し出力する演奏・表示ユニットと、
　前記演奏曲の指定を受け付け、指定された演奏曲に基づいて前記音響・映像再生部及び前記演奏・表示ユニットのいずれか一方を選択し、前記音響・映像再生部からの再生されたオーディオ信号又は前記演奏・表示ユニットからの合成された楽音を前記ミキシングアンプに出力すると共に、前記音響・映像再生部又は演奏・表示ユニットからの再生された画像信号を前記モニタに出力するコマンダ部と
　を備えたことを特徴とするカラオケ制御装置。」
　
２．引用発明と周知技術
（１）これに対して、当審の拒絶理由に引用された特開平４−１９９０９６号公報（以下、「引用例」という。）には、図面とともに、以下の事項が記載されている。
　イ．「従来、いわゆるカラオケ演奏装置としては、第６図及び第７図に示す構成のものが知られている。
　・・・（中略）・・・
　また、第７図は、ＣＤカラオケ演奏装置Ｋ２と呼ばれる装置の構成を示している。このＣＤカラオケ演奏装置Ｋ２は、カラオケ情報記憶媒体である複数のコンパクトディスクＤ２を格納し再生するＣＤオートチェンジャＰＬ２と、このＣＤオートチェンジャＰＬ２を制御し操作部ＣＢ２から入力されたリクエストによりＣＤオートチェンジャＰＬ２の中のコンパクトディスクＤ２を選択せしめるコマンダＣＭ２と、再生されたオーディオ信号を音響として出力するためのアンプＡＭ２及びスピーカＳＰ３、ＳＰ４と、コンパクトディスクＤ２中のサブコードデータから再生されたグラフィックデータを画像信号に変換するグラフィックデコーダＤＥとこの画像信号を画像として表示する画像表示装置ＧＤ２と、歌唱した音声をオーディオ信号に変えてアンプＡＭ２に出力するマイクロフォンＭＣ２と、を備えている。アンプＡＭ２はいわゆるカラオケ音楽であるＣＤオートチェンジャＰＬ２からのオーディオ信号と、マイクロフォンＭＣ２からの歌唱音声のオーディオ信号とをミキシングしてスピーカＳＰ３、ＳＰ４に出力する。なお、コマンダＣＭ２は、通常操作部ＣＢ２、グラフィックデコーダＤＥを含めているものもある。
　このように構成することにより、カラオケ音楽を伴奏音楽として歌曲を歌唱することができ、又、同時に画像も鑑賞することができる。」（２頁左上欄２０行目〜右下欄９行目）
　ロ．「ＣＤ（コンパクトディスク）、ＣＤ−Ｖ（ビデオ）、ＣＤフォーマットデジタル音声を含むＬＶＤ（レーザビデオディスク）等のディスクやＤＡＴ等のテープには、サブコードが記録されている。サブコードはＰ、Ｑ、Ｒ、Ｓ、Ｔ、Ｕ、Ｖ、Ｗチャンネルからなり、そのうち、Ｐ及びＱチャンネルはディスクプレーヤの制御や表示の目的で使用されている。
　一方、Ｒ〜Ｗチャンネルはユーザーズビットと呼ばれる空チャンネルになっており、グラフィック、音声、画像等と種々応用が検討され、グラフィックフォーマットについての規格が既に提案されている。
　このユーザーズビットには、ＭＩＤＩフォーマット信号を記録することもでき、規格も既に提案されている。
　この場合には、ディスクプレーヤによって再生されたオーディオ・ビデオ信号をＡＶシステムに供給してディスクに記録されたプログラムを視聴する外、ＡＶシステムに併設したりもしくはそれ以上のＭＩＤＩ機器に演奏プログラム情報を供給することが可能となる」（３頁右下欄１０行目〜４頁左上欄１１行目）
　ハ．「第１１図は、カラオケ情報記憶媒体であるＯＭＤ(Optical Memory Disk)内に格納されたＭＩＤＩカラオケファイルのデータ構造を示している。ＯＭＤとは、メモリとして用いられる書込み可能な光ディスクである。
　このＭＩＤＩカラオケファイルフォーマット１０２は、シーケンスファイルＳＦと早見表ファイルＩＦに大別される。シーケンスファイルＳＦはカラオケ演奏時に必要なファイルであり、ＭＩＤＩ音源制御情報記憶領域であるノートファイルＮＦと歌詞情報記憶領域である歌詞ファイルＬＦと、第２伴奏音楽情報記憶領域であるＰＣＭファイルＰＦとを有している。早見表ファイルＩＦは検索情報記憶領域に相当する。また、歌詞ファイルＬＦとＰＣＭファイルＰＦと早見表ファイルＩＦとはカラオケ関連情報記憶領域を構成している。」（４頁右下欄５行目〜５頁左上欄１行目）
　ニ．「次に、第２図乃至第５図を用いて、請求項１乃至６記載の発明にかかるカラオケ演奏装置の例を開示した実施例について説明する。
　このＭＩＤＩカラオケ伴奏装置１１０Ａは、第２図に示すように大別して、ＭＩＤＩ制御装置１と音響出力システム２と、画像表示システム３と、音響電気変換手段であるマイクロフォン４と、照明システム１０と、早見表システム１４とを備えている。追加のシステムとして、データ受信システム１１と、電話回線１３を介してデータ受信システム１１と接続されるデータ送信システム１２とがある。
　ＭＩＤＩ制御装置１は、カラオケ情報記憶媒体である図示しないＯＭＤを用いて情報を書込又は再生するカラオケ情報再生手段であるＯＭＤＤ(Optical Memory Disk Drive)５と、ＭＩＤＩ音源手段であるＭＩＤＩ音源モジュール６と、制御手段であるボードコンピュータ８と、操作部１５と、ボードコンピュータ８の制御プログラム等を格納するハードディスク等の記憶部２１と、Ｄ／Ａコンバータ２２と、キーコントローラ２３と、ミキサ２４と、スーパーインポーズ回路２５と、ビデオ処理回路２６と、電源２７と、電源スイッチ２８と、インタフェース２９、３０、３１、３２、３３、３４及び３５と、音量調整ブロック３６とを備えている。
　音響出力システム２は、アンプ４１と、サウンドエフェクタ４２と、スピーカ４３及びスピーカ４４とを備えている。ここに、音響出力システム２は音響出力手段を構成している。また、ミキサ２４は混合手段を構成している。
　画像表示システム３は、ＬＶＤプレーヤ７と、画像エフェクタ５１と、ビデオカメラ５２と、客用ディスプレイ５３と、予約表示用ディスプレイ５４と、歌唱者用ディスプレイ５７とを備えている。ここに画像表示システム３は画像表示手段を構成している。」（６頁左下欄６〜７頁左上欄２行目）
　ホ．「次にこのＭＩＤＩカラオケ演奏装置１１０Ａの演奏時の動作について説明する。
　ＭＩＤＩカラオケデータのうち早見表ファイルＩＦはシステム立ち上げ時にボードコンピュータ８内の図示しないＲＡＭに送られる。その早見表ファイルＩＦを操作部１５を操作して検索し歌いたい歌をリクエストする。ボードコンピュータ８はそのリクエストに対しシーケンシャルファイル内の該当する曲のデータ（ノートファイルＮＦ、歌詞ファイルＬＦ、ＰＣＭファイルＰＦ）をＯＭＤＤ５より読みだし、ボードコンピュータ８内のＲＡＭに記憶する。曲データには、ＭＩＤＩ音源モジュール６に送るノートファイルＮＦ（画面選択データも含む）と、スーパーインポース回路２５に送る歌詞ファイルＬＦと、Ｄ／Ａコンバータ２２に送るＰＣＭファイルＰＦとがある。
　次に、早見表ファイルＩＦ内データに指定された背景映像をＬＶＤプレーヤ７にコマンドを送りサーチさせ、ＬＶＤプレーヤ７を演奏させる。映像が出てくると同時に演奏が開始される。ボードコンピュータ８はＲＡＭよりノートファイルデータＮＦを読みだしＭＩＤＩ信号に変換し、ＭＩＤＩ音源モジュール６に送るとともに音量調整ブロック３６にも送る。ＭＩＤＩ音源モジュール６からの音声信号がミキサ２４に送られる。それに同期してＰＣＭファイルデータＰＦが読み出され、Ｄ／Ａコンバータ２２に送られる。Ｄ／Ａコンバータ２２はそのデータをアナログの音声信号に変換し、ミキサ２４に送る。２つの信号は混合されてアンプ４１に送られ、スピーカ４３、４４より音が出される。アンプ４１ではマイクロフォン４からの音声信号を上記信号に混合してスピーカ４３、４４より音を出す。ボードコンピュータ８は音声関係のＭＩＤＩ信号、ＰＣＭ信号を出すのと同期して、歌詞ファイルデータＬＦを読みだし、キャラクタ信号に変換してスーパーインポーズ回路２５に送る。スーパーインポーズ回路２５は上記キャラクタ信号とＬＶＤプレーヤ７から送られた映像信号をスーパーインポーズして歌唱者用ディスプレイ５７に送る。歌唱者はこの歌唱者用ディスプレイ５７を見、歌詞を見ながら、マイクロフォンで歌う。」（７頁右上欄３行目〜右下欄４行目）
　ホ．「上記実施例において、カラオケ情報記憶媒体としては書込み可能なＯＭＤの例について説明したが、新譜の供給が、データのみでなく記憶媒体を含むものならばこれは必ずしも書込可能である必要はなく、通常のＣＤ、ＣＤ−ＲＯＭ、半導体メモリ、ＩＣカード、磁気メモリ、光磁気ディスク等であってもよい。」（９頁左下欄２〜８行目）
　
　上記引用例の記載及び添付図面（特に第２図に関連する記載参照）ならびにこの分野における技術常識を考慮すると、上記「ＬＶＤプレーヤ７」は音響信号と映像信号を記録再生するものであるから、当該「ＬＶＤプレーヤ７」はいわゆる「第１の音響・映像再生部」を構成しており、上記「アンプ４１ではマイクロフォン４からの音声信号を上記信号に混合してスピーカ４３、４４より音を出す」という構成によれば、当該「アンプ４１」はいわゆる「ミキシングアンプ」であり、上記「スーパーインポーズ回路２５は上記キャラクタ信号とＬＶＤプレーヤ７から送られた映像信号をスーパーインポーズして歌唱者用ディスプレイ５７に送る」という記載によれば当該「歌唱者用ディスプレイ５７」はいわゆる「歌詞及び背景を表示するモニタ」である。
　また、上記「ＭＩＤＩ制御装置１」は、前記「第１の音響・映像再生部」と前記「ミキシングアンプ」、及び前記「第１の音響・映像再生部」と前記「歌詞及び背景を表示するモニタ」の間に接続されているのであるから、当該「ＭＩＤＩ制御装置１」は、前記「第１の音響・映像再生部」と前記「ミキシングアンプ」、及び前記「第１の音響・映像再生部」と前記「モニタ」の間の接続を解除した後に、挿入されるものであり、かつ、ＭＩＤＩ音源制御情報（即ち、演奏曲のイベント情報）であるノートファイルＮＦと歌詞情報（即ち、演奏曲に対応した歌詞の表示のための情報）である歌詞ファイルＬＦを含む「ＭＩＤＩカラオケデータ」を再生し、ＭＩＤＩ音源モジュールにより合成された音響及び変換された映像信号を出力する構成（即ち、「第２の音響・映像再生部」）を含み、前記第１の音響・映像再生部からの再生されたオーディオ信号および前記第２の音響・映像再生部からの合成された楽音をミキシングして前記ミキシングアンプに出力すると共に、前記第１の音響・映像再生部及び前記第２の音響・映像再生部からの再生された画像信号を前記モニタに出力する手段を備えている。
　したがって、上記引用例には以下の発明（以下、「引用発明」という。）が記載されている。
　「第１の音響・映像再生部とミキシングアンプ、及び第１の音響・映像再生部とモニタの間の接続を解除した後に、前記第１の音響・映像再生部、ミキシングアンプ及びモニタの間に挿入されるＭＩＤＩ制御装置であって、
　演奏曲のイベント情報並びに演奏曲に対応した歌詞の表示のための情報を記憶し、指定された演奏曲のイベント情報に従って音源で楽音を合成し出力すると共に、前記指定された演奏曲に対応する前記歌詞の表示のための情報に基づいて画像信号を再生し出力する第２の音響・映像再生部と、
　前記第１の音響・映像再生部からの再生されたオーディオ信号及び前記第２の音響・映像再生部からの合成された楽音をミキシングして前記ミキシングアンプに出力すると共に、前記第１の音響・映像再生部及び第２の音響・映像再生部からの再生された画像信号を前記モニタに出力する手段と
　を備えたことを特徴とするＭＩＤＩ制御装置。」
　
（２）また、上記引用例の記載（イ）及び添付図面（第７図）ならびにこの分野における技術常識を考慮すると、上記「ＣＤカラオケ演奏装置Ｋ２」は「再生されたオーディオ信号を音響として出力する」とともに「再生されたグラフィックデータを・・・画像として表示する」ものであるから、当該「ＣＤカラオケ演奏装置Ｋ２」はいわゆる「楽音再生型カラオケ装置」であり、他の装置を必要としていないから、「自己完結型」のものである。また、上記「コンパクトディスクＤ２」は「演奏曲のオーディオ信号を記憶」しており、上記「ＣＤオートチェンジャＰＬ２」は、「コマンダＣＭ２」からの「選曲コマンドによって指定された演奏曲のオーディオ信号並びに画像信号を再生し出力する音響・映像再生部」を構成している。
　また、上記「アンプＡＭ２」は「いわゆるカラオケ音楽であるＣＤオートチェンジャＰＬ２からのオーディオ信号と、マイクロフォンＭＣ２からの歌唱音声のオーディオ信号とをミキシングしてスピーカＳＰ３、ＳＰ４に出力する」ものであるから、当該アンプはいわゆる「演奏曲のオーディオ信号とマイクからの歌唱信号とを混合出力するミキシングアンプ」である。
　また、上記「画像表示装置ＧＤ２」は「画像信号を画像として表示する」ものであるから、いわゆる「画像信号を入力して画像を表示するモニタ」である。
　したがって、上記引用例には以下の発明（以下、「引用発明の従来例」という。）が記載されている。
　「演奏曲のオーディオ信号を記憶し選曲コマンドによって指定された演奏曲のオーディオ信号並びに画像信号を再生し出力する音響・映像再生部、前記演奏曲のオーディオ信号とマイクからの歌唱信号とを混合出力するミキシングアンプ、このミキシングアンプからの信号を電気音響変換するスピーカ、及び前記画像信号を入力して画像を表示するモニタを備えるとともに、音響・映像再生部とミキシングアンプとモニタの間に挿入され、全体を制御するコマンダを備えた自己完結型の楽音再生型カラオケ装置。」
　
（３）また、上記引用例の記載（ロ）または例えば特開平５−４６０７２号公報（以下、「周知例１」という。）の段落【００４４】〜【００５０】の記載ならびにこの分野における技術常識を考慮すると、「ＭＩＤＩフォーマット信号を記録したＣＤ−Ｖ」は周知である。
　
（４）また、当審の拒絶理由に引用された特開昭６０−６６３８２号公報（以下、「周知例２」という。）には、図面とともに、以下の事項が記載されている。
　イ．「チェンジャ装置１において選択されたディスクの演奏が行なわれるとき、マイクロフォン５からの音声をその演奏曲に重畳することができ、その演奏されている曲に対応した歌詞は映像表示装置２０３の陰極線管２０２によって表示され、また記録紙２０７においてプリンタ２０８によって印字される。」（２頁左上欄４〜１０行目）
　ロ．「本発明に従うディスク再生装置では、パルスコード変調されたコンパクトディスクを用い、これによって大幅な小型化が可能になる。」（２頁左下欄１２〜１５行目）
　
　上記周知例２の記載によれば、「カラオケ用ＣＤチェンジャにおいて、演奏されている曲に対応した歌詞を映像表示装置に表示すること」は周知である。
　
３．対比
　本願発明と引用発明とを対比すると、引用発明の「第１の音響・映像再生部」、「第２の音響・映像再生部」、「ＭＩＤＩ制御装置」はそれぞれ本願発明の「音響・映像再生部」、「演奏・表示ユニット」、「カラオケ制御装置」に対応しており、同様な機能を果たしている。
　また、本願発明の「前記演奏曲の指定を受け付け、指定された演奏曲に基づいて前記音響・映像再生部及び前記演奏・表示ユニットのいずれか一方を選択し、前記音響・映像再生部からの再生されたオーディオ信号又は前記演奏・表示ユニットからの合成された楽音を前記ミキシングアンプに出力すると共に、前記音響・映像再生部又は演奏・表示ユニットからの再生された画像信号を前記モニタに出力するコマンダ部」の構成と引用発明の「前記音響・映像再生部からの再生されたオーディオ信号および前記演奏・表示ユニットからの合成された楽音をミキシングして前記ミキシングアンプに出力すると共に、前記音響・映像再生部及び演奏・表示ユニットからの再生された画像信号を前記モニタに出力する手段」の構成はいずれも「カラオケ制御部」の構成であるという点で一致している。
　したがって、本願発明と引用発明は、以下の＜一致点＞で一致し、＜相違点＞で相違している。
＜一致点＞
　「音響・映像再生部とミキシングアンプ、及び音響・映像再生部とモニタの間の接続を解除した後に、前記音響・映像再生部、ミキシングアンプ及びモニタの間に挿入されるカラオケ制御装置であって、
　演奏曲のイベント情報並びに演奏曲に対応した歌詞の表示のための情報を記憶し、指定された演奏曲のイベント情報に従って音源で楽音を合成し出力すると共に、前記指定された演奏曲に対応する前記歌詞の表示のための情報に基づいて画像信号を再生し出力する演奏・表示ユニットと、
　カラオケ制御部と
　を備えたことを特徴とするカラオケ制御装置。」
　
＜相違点＞
（１）「音響・映像再生部、ミキシングアンプ及びモニタ」に関し、本願発明のそれらは「演奏曲のオーディオ信号を記憶し選曲コマンドによって指定された演奏曲のオーディオ信号並びに歌詞及び背景の表示のための画像信号を再生し出力する音響・映像再生部、前記演奏曲のオーディオ信号とマイクからの歌唱信号とを混合出力するミキシングアンプ、このミキシングアンプからの信号を電気音響変換するスピーカ、及び前記画像信号を入力して前記歌詞及び背景を表示するモニタを備えた自己完結型の楽音再生型カラオケ装置の」ものであるのに対し、引用発明はその点の構成が不明である点。
（２）「演奏・表示ユニット」に関し、本願発明は「演奏曲に対応した歌詞及び背景の表示のための情報を記憶し」、「指定された演奏曲に対応する前記歌詞及び背景の表示のための情報に基づいて画像信号を再生し出力する」ものであるのに対し、引用発明は「演奏曲に対応した歌詞の表示のための情報を記憶し」、「指定された演奏曲に対応する前記歌詞の表示のための情報に基づいて画像信号を再生し出力する」ものであるとともに、背景映像を第１の音響・映像再生部から得るものである点。
（３）「カラオケ制御部」に関し、本願発明の制御部は「前記演奏曲の指定を受け付け、指定された演奏曲に基づいて前記音響・映像再生部及び前記演奏・表示ユニットのいずれか一方を選択し、前記音響・映像再生部からの再生されたオーディオ信号又は前記演奏・表示ユニットからの合成された楽音を前記ミキシングアンプに出力すると共に、前記音響・映像再生部又は演奏・表示ユニットからの再生された画像信号を前記モニタに出力するコマンダ部」からなるのに対し、引用発明の制御部は「前記音響・映像再生部からの再生されたオーディオ信号および前記演奏・表示ユニットからの合成された楽音をミキシングして前記ミキシングアンプに出力すると共に、前記音響・映像再生部及び演奏・表示ユニットからの再生された画像信号を前記モニタに出力する手段」からなる点。
　
４．当審の判断
　そこで、まず、上記相違点（１）の「音響・映像再生部、ミキシングアンプ及びモニタ」及び相違点（３）の「カラオケ制御部」について検討するに、例えば上記引用発明の従来例は、「演奏曲のオーディオ信号を記憶し選曲コマンドによって指定された演奏曲のオーディオ信号並びに画像信号を再生し出力する音響・映像再生部、前記演奏曲のオーディオ信号とマイクからの歌唱信号とを混合出力するミキシングアンプ、このミキシングアンプからの信号を電気音響変換するスピーカ、及び前記画像信号を入力して画像を表示するモニタを備えるとともに、音響・映像再生部とミキシングアンプとモニタの間に挿入され、全体を制御するコマンダを備えた自己完結型の楽音再生型カラオケ装置」という構成を備えており、また、上記周知例２の記載によれば、「カラオケ用ＣＤチェンジャにおいて、演奏されている曲に対応した歌詞を映像表示装置に表示すること」は周知であるところ、これらの周知の構成を引用発明の「音響・映像再生部、ミキシングアンプ及びモニタ」に適用する上での阻害要因は何ら見あたらず、かつ、装置に付加される新機能を選択可能に構成することも単なる慣用手段であるから、引用発明の「音響・映像再生部、ミキシングアンプ及びモニタ」並びにカラオケ制御部の構成を従来例の自己完結型のもの（即ち、本願発明でいう「演奏曲のオーディオ信号を記憶し選曲コマンドによって指定された演奏曲のオーディオ信号並びに歌詞及び背景の表示のための画像信号を再生し出力する音響・映像再生部、前記演奏曲のオーディオ信号とマイクからの歌唱信号とを混合出力するミキシングアンプ、このミキシングアンプからの信号を電気音響変換するスピーカ、及び前記画像信号を入力して前記歌詞及び背景を表示するモニタを備えた自己完結型の楽音再生型カラオケ装置の」もの）とするとともにＭＩＤＩ音源から切り離して従来例と同様な自己完結的動作を行わせる（即ち、本願発明でいう「前記演奏曲の指定を受け付け、指定された演奏曲に基づいて前記音響・映像再生部及び前記演奏・表示ユニットのいずれか一方を選択し、前記音響・映像再生部からの再生されたオーディオ信号又は前記演奏・表示ユニットからの合成された楽音を前記ミキシングアンプに出力すると共に、前記音響・映像再生部又は演奏・表示ユニットからの再生された画像信号を前記モニタに出力するコマンダ部」）を備え、音響・映像再生部からの出力と演奏・表示ユニットからの出力の一方を適宜選択可能に構成する程度のことは、当業者であれば、容易なことである。
　ついで、上記相違点（２）の「演奏・表示ユニット」について検討するに、例えば上記引用例の記載によれば「ＭＩＤＩフォーマット信号を記録したＣＤ−Ｖ」は周知であるところ、上記周知例１の記載によれば「ＭＩＤＩフォーマット信号を記録したＣＤ−Ｖ」には歌詞がスーパーインポーズされる背景映像も記録されており、上記引用例の記載（ホ．）によれば、「上記実施例において、カラオケ情報記憶媒体としては書込み可能なＯＭＤの例について説明したが、新譜の供給が、データのみでなく記憶媒体を含むものならばこれは必ずしも書込可能である必要はなく、通常のＣＤ、ＣＤ−ＲＯＭ、半導体メモリ、ＩＣカード、磁気メモリ、光磁気ディスク等であってもよい」のであるから、引用発明の演奏・表示ユニットに当該周知の背景映像も記録したＭＩＤＩ用ＣＤ−Ｖディスク及びＣＤ−Ｖディスクプレーヤを採用し、引用発明のように映像信号を第１の音響・映像再生部から得る必要をなくし、「演奏曲に対応した歌詞及び背景の表示のための情報を記憶し」、「指定された演奏曲に対応する前記歌詞及び背景の表示のための情報に基づいて画像信号を再生し出力する」構成とする程度のことは当業者であれば適宜成し得ることである
　また、上記した構成の変更又は追加に基づく作用効果を検討しても、その作用効果は予測される範囲内であるから、この点からも前記各相違点に進歩性を見いだすことはできない。
　
５．むすび
　以上のとおり、本願発明は、上記引用例に記載された発明ないしは周知技術、ならびに上記周知例１〜２に記載された周知技術に基づいて、当業者が容易に発明をすることができたものと認められるから、特許法第２９条第２項の規定により特許を受けることができない。
　
　よって、結論のとおり審決する。